(57)【特許請求の範囲】
【請求項１】
画像を表示可能な表示パネルおよび該表示パネルに対しその背面側から光を照射するバックライトを含む画像表示部を備えるデジタルサイネージ装置であって、
前記バックライトの温度を測定する温度測定部と、
前記画像表示部に、画像を設定された表示形態で表示させる表示形態調整部と、
前記画像表示部周辺における外光の明るさの検出を行う明るさ検出部と、
前記画像表示部に表示されるべき原画像の画像情報における画素値と、前記温度測定部によって測定された前記バックライトの温度とに基づいて、前記画像表示部における表示領域の明るさを算出し、前記明るさ検出部により検出された外光の明るさおよび算出された表示領域の明るさのいずれもが、予め定める明るさよりも暗い場合に青色を選択し、検出された外光の明るさおよび／または算出された表示領域の明るさが、予め定める明るさに等しいまたは予め定める明るさよりも明るい場合に赤色を選択し、前記画像表示部に表示される原画像の周縁に設けられた色表示領域に、前記選択された色を表示させるように、前記表示形態調整部を制御する制御部とを含むことを特徴とするデジタルサイネージ装置。
【請求項２】
画像を表示可能な表示パネルおよび該表示パネルに対しその背面側から光を照射するバックライトを含む画像表示部を備えるデジタルサイネージ装置であって、
前記バックライトの温度を測定する温度測定部と、
前記画像表示部に、画像を設定された表示形態で表示させる表示形態調整部と、
前記画像表示部周辺における外光の明るさの検出を行う明るさ検出部と、
前記画像表示部に表示されるべき原画像の画像情報における画素値と、前記温度測定部によって測定された前記バックライトの温度とに基づいて、前記画像表示部における表示領域の明るさを算出し、前記明るさ検出部により検出された外光の明るさおよび算出された表示領域の明るさのいずれもが、予め定める明るさよりも暗い場合に青色を選択し、検出された外光の明るさおよび／または算出された表示領域の明るさが、予め定める明るさに等しいまたは予め定める明るさよりも明るい場合に赤色を選択し、前記画像表示部に表示されるべき原画像に含まれている文字画像の周縁に設けられた、下線、枠、ハイライトまたは陰影のいずれかに相当する色表示領域に、前記選択された色を表示させるように、前記表示形態調整部を制御する制御部とを含むことを特徴とするデジタルサイネージ装置。
【請求項３】
画像を表示可能な表示パネルおよび該表示パネルに対しその背面側から光を照射するバックライトを含む画像表示部を備えるデジタルサイネージ装置であって、
前記バックライトの温度を測定する温度測定部と、
前記画像表示部における表示領域の周辺に設けられ、予め定める複数の色の光を発光可能な光源を備える発光部と、
前記画像表示部周辺における外光の明るさの検出を行う明るさ検出部と、
前記画像表示部に表示されるべき原画像の画像情報における画素値と、前記温度測定部によって測定されたバックライトの温度とに基づいて、前記画像表示部における表示領域の明るさを算出し、前記明るさ検出部により検出された外光の明るさおよび算出された表示領域の明るさのいずれもが、予め定める明るさよりも暗い場合に青色を選択し、検出された外光の明るさおよび／または算出された表示領域の明るさが、予め定める明るさに等しいまたは予め定める明るさよりも明るい場合に赤色を選択し、前記選択された色を表示させるように、前記発光部における光源を点灯制御する制御部とを含むことを特徴とするデジタルサイネージ装置。
【請求項４】
コンピュータに、
画像表示部に表示されるべき原画像の画像情報における画素値と、温度測定部によって測定されたバックライトの温度とに基づいて、前記画像表示部における表示領域の明るさを算出するステップと、
前記画像表示部周辺における外光の明るさを検出するステップと、
検出された外光の明るさおよび算出された表示領域の明るさのいずれもが、予め定める明るさよりも暗い場合に青色を選択し、検出された外光の明るさおよび／または算出された表示領域の明るさが、予め定める明るさに等しいまたは予め定める明るさよりも明るい場合に赤色を選択するステップと、
前記画像表示部に表示される原画像の周縁に設けられた色表示領域に、前記選択された色を表示させるステップとを実行させることを特徴とするプログラム。
【請求項５】
コンピュータに、
画像表示部に表示されるべき原画像の画像情報における画素値と、温度測定部によって測定されたバックライトの温度とに基づいて、前記画像表示部における表示領域の明るさを算出するステップと、
前記画像表示部周辺における外光の明るさを検出するステップと、
検出された外光の明るさおよび算出された表示領域の明るさのいずれもが、予め定める明るさよりも暗い場合に青色を選択し、検出された外光の明るさおよび／または算出された表示領域の明るさが、予め定める明るさに等しいまたは予め定める明るさよりも明るい場合に赤色を選択するステップと、
前記画像表示部に表示されるべき原画像に含まれている文字画像の周縁に設けられた、下線、枠、ハイライトまたは陰影のいずれかに相当する色表示領域に、前記選択された色を表示させるステップとを実行させることを特徴とするプログラム。
【請求項６】
コンピュータに、
画像表示部に表示されるべき原画像の画像情報における画素値と、温度測定部によって測定されたバックライトの温度とに基づいて、前記画像表示部における表示領域の明るさを算出するステップと、
前記画像表示部周辺における外光の明るさを検出するステップと、
検出された外光の明るさおよび算出された表示領域の明るさのいずれもが、予め定める明るさよりも暗い場合に青色を選択し、検出された外光の明るさおよび／または算出された表示領域の明るさが、予め定める明るさに等しいまたは予め定める明るさよりも明るい場合に赤色を選択するステップと、
前記表示領域の周辺に設けられ、予め定める複数の色の光を発光可能な光源を、前記選択された色を表示させるように点灯制御するステップとを実行させることを特徴とするプログラム。
【請求項７】
請求項４〜６のいずれか１つに記載のプログラムを記録したコンピュータ読取り可能な記録媒体。
【発明の詳細な説明】
【技術分野】
【０００１】
本発明は、広告効果を高めることができるデジタルサイネージ装置、プログラムおよび記録媒体に関する。
【背景技術】
【０００２】
近年、公共の場所などにおいて不特定多数の者に対して広告・宣伝を行うためのツールとして、デジタルサイネージ（電子看板）装置が用いられている。デジタルサイネージ装置は、デジタル画像によって作成された広告画像を表示可能な画像表示部を備えて構成され、広告の内容を容易に変更することができる。これにより、最新の情報を視聴者に提供することができ、従来の看板に比べて優れた広告効果を有する。
【０００３】
一方、デジタルサイネージ装置は、屋外など外光の照度が大きく変化するような環境で使用される場合、画像表示部に表示される表示画像の視認性が大きく変化してしまう。特に、外光の照度が低い環境で使用される場合には、プルキンエ現象、すなわち人間の視感度特性の変化によって、表示画像における赤色が暗くくすんで見え、青色が明るく鮮やかに見える傾向があることが知られている。
【０００４】
たとえば特許文献１には、使用する周囲環境の照度および入力映像における映像特徴に応じて、映像信号処理およびバックライトの調光制御を行うことにより、画質および視認性を改善する技術が提案されている。
【０００５】
また、特許文献２には、白色光源と赤の着色光源とによってバックライトを構成し、周辺環境が暗い場合に、白色光源の強度を下げ、赤の着色光源を点灯するように制御することによって、画質を向上する技術が提案されている。
【先行技術文献】
【特許文献】
【０００６】
【特許文献１】特開２００６−２８５０６３号公報
【特許文献２】特開２００６−３９５２０号公報
【発明の概要】
【発明が解決しようとする課題】
【０００７】
デジタルサイネージ装置は、画像表示部に表示される広告の内容を、装置周辺の人々に視聴させることによって、広告・宣伝用のツールとして機能する。したがって、デジタルサイネージ装置には、広告効果を高めるために、外光の照度に影響を受けないように、常に装置周辺の人々の関心または注意を集めるような工夫（誘引性、誘目性の向上）が求められている。
【０００８】
上記の特許文献１および２には、使用環境の照度に応じて、映像信号を処理し、および／またはバックライトを制御することによって、画像表示部に表示される表示画像の画質および視認性を改善することについては記載されているが、使用環境の照度に加え、表示画像の輝度レベルおよび、視感度特性の変化に応じた誘引性、誘目性向上のための工夫については言及されていない。
【０００９】
本発明の目的は、誘引性、誘目性を向上することで、広告効果を高めることができるデジタルサイネージ装置、プログラムおよび記録媒体を提供することである。
【課題を解決するための手段】
【００１０】
本発明は、画像を表示可能な表示パネルおよび該表示パネルに対しその背面側から光を照射するバックライトを含む画像表示部を備えるデジタルサイネージ装置であって、
前記バックライトの温度を測定する温度測定部と、
前記画像表示部に、画像を設定された表示形態で表示させる表示形態調整部と、
前記画像表示部周辺における外光の明るさの検出を行う明るさ検出部と、
前記画像表示部に表示されるべき原画像の画像情報における画素値と、前記温度測定部によって測定された前記バックライトの温度とに基づいて、前記画像表示部における表示領域の明るさを算出し、前記明るさ検出部により検出された外光の明るさおよび算出された表示領域の明るさのいずれもが、予め定める明るさよりも暗い場合に青色を選択し、検出された外光の明るさおよび／または算出された表示領域の明るさが、予め定める明るさに等しいまたは予め定める明るさよりも明るい場合に赤色を選択し、前記画像表示部に表示される原画像の周縁に設けられた色表示領域に、前記選択された色を表示させるように、前記表示形態調整部を制御する制御部とを含むことを特徴とするデジタルサイネージ装置である。
【００１２】
また本発明は、画像を表示可能な表示パネルおよび該表示パネルに対しその背面側から光を照射するバックライトを含む画像表示部を備えるデジタルサイネージ装置であって、
前記バックライトの温度を測定する温度測定部と、
前記画像表示部に、画像を設定された表示形態で表示させる表示形態調整部と、
前記画像表示部周辺における外光の明るさの検出を行う明るさ検出部と、
前記画像表示部に表示されるべき原画像の画像情報における画素値と、前記温度測定部によって測定された前記バックライトの温度とに基づいて、前記画像表示部における表示領域の明るさを算出し、前記明るさ検出部により検出された外光の明るさおよび算出された表示領域の明るさのいずれもが、予め定める明るさよりも暗い場合に青色を選択し、検出された外光の明るさおよび／または算出された表示領域の明るさが、予め定める明るさに等しいまたは予め定める明るさよりも明るい場合に赤色を選択し、前記画像表示部に表示されるべき原画像に含まれている文字画像の周縁に設けられた、下線、枠、ハイライトまたは陰影のいずれかに相当する色表示領域に、前記選択された色を表示させるように、前記表示形態調整部を制御する制御部とを含むことを特徴とするデジタルサイネージ装置である。
【００１４】
また本発明は、画像を表示可能な表示パネルおよび該表示パネルに対しその背面側から光を照射するバックライトを含む画像表示部を備えるデジタルサイネージ装置であって、
前記バックライトの温度を測定する温度測定部と、
前記画像表示部における表示領域の周辺に設けられ、予め定める複数の色の光を発光可能な光源を備える発光部と、
前記画像表示部周辺における外光の明るさの検出を行う明るさ検出部と、
前記画像表示部に表示されるべき原画像の画像情報における画素値と、前記温度測定部によって測定されたバックライトの温度とに基づいて、前記画像表示部における表示領域の明るさを算出し、前記明るさ検出部により検出された外光の明るさおよび算出された表示領域の明るさのいずれもが、予め定める明るさよりも暗い場合に青色を選択し、検出された外光の明るさおよび／または算出された表示領域の明るさが、予め定める明るさに等しいまたは予め定める明るさよりも明るい場合に赤色を選択し、前記選択された色を表示させるように、前記発光部における光源を点灯制御する制御部とを含むことを特徴とするデジタルサイネージ装置である。
【００１６】
また本発明は、コンピュータに、
画像表示部に表示されるべき原画像の画像情報における画素値と、温度測定部によって測定されたバックライトの温度とに基づいて、前記画像表示部における表示領域の明るさを算出するステップと、
前記画像表示部周辺における外光の明るさを検出するステップと、
検出された外光の明るさおよび算出された表示領域の明るさのいずれもが、予め定める明るさよりも暗い場合に青色を選択し、検出された外光の明るさおよび／または算出された表示領域の明るさが、予め定める明るさに等しいまたは予め定める明るさよりも明るい場合に赤色を選択するステップと、
前記画像表示部に表示される原画像の周縁に設けられた色表示領域に、前記選択された色を表示させるステップとを実行させることを特徴とするプログラムである。
また本発明は、コンピュータに、
画像表示部に表示されるべき原画像の画像情報における画素値と、温度測定部によって測定されたバックライトの温度とに基づいて、前記画像表示部における表示領域の明るさを算出するステップと、
前記画像表示部周辺における外光の明るさを検出するステップと、
検出された外光の明るさおよび算出された表示領域の明るさのいずれもが、予め定める明るさよりも暗い場合に青色を選択し、検出された外光の明るさおよび／または算出された表示領域の明るさが、予め定める明るさに等しいまたは予め定める明るさよりも明るい場合に赤色を選択するステップと、
前記画像表示部に表示されるべき原画像に含まれている文字画像の周縁に設けられた、下線、枠、ハイライトまたは陰影のいずれかに相当する色表示領域に、前記選択された色を表示させるステップとを実行させることを特徴とするプログラムである。
また本発明は、コンピュータに、
画像表示部に表示されるべき原画像の画像情報における画素値と、温度測定部によって測定されたバックライトの温度とに基づいて、前記画像表示部における表示領域の明るさを算出するステップと、
前記画像表示部周辺における外光の明るさを検出するステップと、
検出された外光の明るさおよび算出された表示領域の明るさのいずれもが、予め定める明るさよりも暗い場合に青色を選択し、検出された外光の明るさおよび／または算出された表示領域の明るさが、予め定める明るさに等しいまたは予め定める明るさよりも明るい場合に赤色を選択するステップと、
前記表示領域の周辺に設けられ、予め定める複数の色の光を発光可能な光源を、前記選択された色を表示させるように点灯制御するステップとを実行させることを特徴とするプログラムである。
また本発明は、前記プログラムを記録したコンピュータ読取り可能な記録媒体である。
【発明の効果】
【００１７】
本発明によれば、デジタルサイネージ装置の画像表示部には、広告用の原画像に、人の目を誘引するための色表示が行われる色表示領域が付加された画像が表示され、その色表示領域には、プルキンエ現象を考慮して選択された色、すなわち、デジタルサイネージ装置の周辺環境が暗所である場合には暗所で明るく見える青色が、また周辺環境が暗所でない場合には赤色が表示される。このように、周辺環境に応じた色が色表示領域に表示されるので、デジタルサイネージ装置周辺の人々の関心または注意を、画像表示部に表示される広告画像に効果的に集めることができる。これにより、広告画像の注目度すなわち、誘引性、誘目性を向上して、広告効果を高めることができる。
【図面の簡単な説明】
【００１８】
【図１】本発明の第１の実施形態に係るデジタルサイネージ装置１を概略的に示す系統図である。
【図２】デジタルサイネージ装置１を構成する画像表示部１１の構成を概略的に示す断面図である。
【図３】画像表示部１１において外光を採り込むための窓部Ｗが設けられる位置の一例を示す図である。
【図４】デジタルサイネージ装置１の構成を示すブロック図である。
【図５】映像信号処理部１６において行われる表示形態の調整処理の一実施例を説明するための図であり、図５（ａ）は、ＡＤ変換処理部１５から受け取った画像情報を表示させたときの画像を示し、図５（ｂ）は、映像信号処理部１６において調整処理された後の画像情報を表示させたときの画像を示している。
【図６】映像信号処理部１６において行われる表示形態の調整処理の他の実施例を説明するための図であり、図６（ａ）は、ＡＤ変換処理部１５から受け取った画像情報を表示させたときの画像を示し、図６（ｂ）〜図６（ｅ）は、映像信号処理部１６において調整処理された後の画像情報を表示させたときの画像を示している。
【図７】画像表示部１１における各色成分の画素値ごとの輝度特性の一例を示すグラフ５１である。
【図８】比視感度特性を示すグラフ５５である。
【図９】第１の実施形態に係るデジタルサイネージ装置１における表示形態の調整処理の手順を示すフローチャートである。
【図１０】画面転換時における画面挿入を説明するための図である。
【図１１】本発明の第２の実施形態に係るデジタルサイネージ装置１Ａの構成を示すブロック図である。
【図１２】デジタルサイネージ装置１Ａを構成する画像表示部１１の構成を概略的に示す正面図である。
【図１３】センサ較正部８１をさらに備えたデジタルサイネージ装置１，１Ａを概略的に示す系統図である。
【図１４】センサ較正部８１の構成を概略的に示す斜視図である。
【発明を実施するための形態】
【００１９】
図１は、本発明の第１の実施形態に係るデジタルサイネージ装置１を概略的に示す系統図である。デジタルサイネージ装置１は、デジタル画像によって構成される広告用の画像を表示可能な画像表示部１１と、明るさ検出部１２と、温度センサ１９とを含んで構成される。
【００２０】
図２は、デジタルサイネージ装置１を構成する画像表示部１１の構成を概略的に示す断面図である。本実施形態では、画像表示部１１は、液晶ディスプレイ（Liquid Crystal Display：略称ＬＣＤ）パネル２１とバックライト２２とを備える液晶表示装置によって実現される。画像表示部１１は、ＬＣＤパネル２１およびバックライト２２のほかに、偏光板２３，２４と、拡散板２５と、保護ガラス２６とを含んで構成される。
【００２１】
ＬＣＤパネル２１は、液晶層６１と第１および第２のガラス基板６２，６３とを有する。第１のガラス基板６２は、その厚み方向一方側の表面に、カラーフィルタ６４、透明電極６５および配向膜６６が積層形成されている。また第２のガラス基板６３は、その厚み方向一方側の表面に、配向膜６９および、画素を形成する透明電極６８、ならびにこれと接続される薄膜トランジスタ６７が積層形成されている。
【００２２】
ＬＣＤパネル２１は、配向膜６６，６９が対向するように配設された第１および第２のガラス基板６２，６３の間に液晶を封入し液晶層６１を形成することによって構成されている。
【００２３】
バックライト２２は、ＬＣＤパネル２１の背面側、すなわち第２のガラス基板６３の厚み方向他方側の表面（以下、「光入射面」と称する）に対向するように配置され、ＬＣＤパネル２１に対してその背面側から光を照射する機能を有する。
【００２４】
本実施形態では、バックライト２２は、複数のＬＥＤ（L ight Emitting Diode）光源を、第２のガラス基板６３の光入射面の面方向に沿って、平面的に並べることによって構成されている。すなわち、バックライト２２は、直下型のＬＥＤバックライトとして構成されている。バックライト２２は、このような構成に限らず、たとえばエッジライト型のＬＥＤバックライトとして構成されたり、冷陰極管を並設することによって構成されてもよい。
【００２５】
偏光板２３は、第１のガラス基板６２の厚み方向他方側の表面（以下、「光出射面」と称する）に配置され、偏光板２４は、第２のガラス基板６３の光入射面に配置されている。偏光板２３，２４は、互いに直交する直線偏光を透過するように設けられている。
【００２６】
拡散板２５は、第２のガラス基板６３の光入射面に配置された偏光板２４とバックライト２２との間に配設され、バックライト２２から出射された光を全方向に拡散させる機能を有する。保護ガラス２６は、偏光板２３の第１のガラス基板６２に臨む側とは反対側の表面に配置され、ＬＣＤパネル２１を保護する機能を有する。
【００２７】
このような構成により、バックライト２２から出射された光のうち偏光板２４を透過した直線偏光が、液晶層６１を通過して偏光板２３に入射する。この際、液晶層６１を透過する光の偏光状態は、液晶層６１に印加する電圧によって変化させることができる。このため映像信号に対応した電圧を、第１および第２のガラス基板６２，６３上の透明電極６５，６８に印加し、液晶層６１に電界を印加することによって、液晶層６１を通過する光の偏光状態を変え、偏光板２３を透過する光の光量を制御することができる。これにより、映像信号に応じた光学画像を形成することができる。
【００２８】
また、本実施形態の画像表示部１１に備えられるバックライト２２は、エリアアクティブ制御が可能に構成され、すなわち、バックライト２２に搭載される複数のＬＥＤ光源をブロック単位、たとえば１個以上の単位で点灯制御できるように構成されている。
【００２９】
再び図１を参照して、明るさ検出部１２は、デジタルサイネージ装置１が設置される環境における外光の明るさを検出するように構成されている。
【００３０】
明るさ検出部１２は、本実施形態では、明るさを検出するための検出手段として、照度センサ３１を備えて構成され、外光の照度を測定する。他の実施形態では、検出手段として、分光放射輝度センサを備えてもよい。
【００３１】
図１に示すように、明るさ検出部１２は、照度センサ３１を１台備えるほか、デジタルサイネージ装置１が設置される環境における外光を採り込むための複数の窓部Ｗと、各窓部Ｗから採り込まれた外光が、１台の照度センサ３１に対して個別に入力されるように、各窓部Ｗから採り込まれた外光を伝送する光伝送部３２とを備えて構成される。
【００３２】
照度センサ３１は、各窓部Ｗから採り込まれた外光が、光伝送部３２によって伝送されて入力されると、その入力された光の照度（単位：ｌｘ）を測定する。照度センサ３１は、入力された光の照度を測定すると、その測定結果を含む測定信号を、後述する中央処理装置（Central Processing Unit：略称ＣＰＵ）１３へ出力する。
【００３３】
図３は、画像表示部１１において外光を採り込むための窓部Ｗが設けられる位置の一例を示す図である。図３は、図１において画像表示部１１を左側から見た図、すなわち、画像表示部１１を、その画像表示領域（以下、単に「表示領域」と記す）Ｖに対向する側から見た図によって示している。
【００３４】
図３に示すように、外光を採り込むための窓部Ｗは、表示領域Ｖよりも面方向外方の各領域に設けられる。本実施形態では、フレームＦの正面側における矩形枠状の額縁部ｆにおいて、６つの窓部Ｗが設けられている。具体的には、窓部Ｗは、額縁部ｆにおける４つの角部と、額縁部ｆにおける一対の長辺部の長手方向における中央部とに、それぞれ設けられている。フレームＦには、ＬＣＤパネル２１およびバックライト２２が収容される。
【００３５】
各窓部Ｗの設置数およびその設置位置は、図３に示される例に限定されることなく、適宜変更することができる。本実施形態では、各窓部Ｗに対し、それぞれ測定用拡散板３８が取り付けられている。つまり、各窓部Ｗは、測定用拡散板３８を介して、外光を採り込むように構成されている。
【００３６】
このように、各窓部Ｗに測定用拡散板３８を取り付けることによって、各窓部Ｗへ入射した強い光が、後述する光ファイバ３３，３６を介して、照度センサ３１へ直接入力されるのを防止することができる。これにより、強い光の入力に起因する照度センサ３１の損傷を防止することができる。さらには、各種結像によって生ずる照度センサ３１の測定精度の低下を防止することができる。
【００３７】
再び図１を参照して、光伝送部３２は、各窓部Ｗごとに設けられる第１の光ファイバ３３と、照度センサ３１へ連なる１つの第２の光ファイバ３６と、複数の第１の光ファイバ３３と１つの第２の光ファイバ３６との間に設けられる連結部３５と、各第１の光ファイバ３３に介装される切換部３４と、各切換部３４における切換動作を制御する切換制御部３７とを含んで構成される。
【００３８】
各第１の光ファイバ３３は、一方の端部が各窓部Ｗに設けられる測定用拡散板３８を臨み、他方の端部が連結部３５に連なるように設けられ、該測定用拡散板３８を介して採り込まれた外光を、連結部３５へ導光するように構成されている。
【００３９】
第２の光ファイバ３６は、一方の端部が連結部３５に連なり、他方の端部が照度センサ３１の入力端子に対して連結されるように設けられ、第１の光ファイバ３３によって導光された光を、照度センサ３１へ導光するように構成されている。照度センサ３１へ導光された光は、照度センサ３１によって、照度が測定される。
【００４０】
連結部３５は、各第１の光ファイバ３３によって導光された光を、１つの第２の光ファイバ３６に伝送するように構成される。連結部３５は、たとえば多分岐光ファイバを用いることによって実現することができる。
【００４１】
切換部３４は、第１の光ファイバ３３によって形成される光伝送路を、光の導光が許容される許容状態と、光の導光が遮断される遮断状態とに切換可能に構成される。
【００４２】
すなわち、切換部３４が許容状態であるときには、その切換部３４が介装される第１の光ファイバ３３では、窓部Ｗから採り込まれた外光を、連結部３５へ導光することができる状態にある。一方、切換部３４が遮断状態であるときには、その切換部３４が介装されている第１の光ファイバ３３では、窓部Ｗから採り込まれた外光を、連結部３５へ導光することができない状態にある。このような切換部３４は、たとえば電子シャッタによって実現することができる。
【００４３】
切換制御部３７は、各切換部３４に対して、許容状態と遮断状態とを切換えさせるための切換制御信号を、個別に送出するように構成されている。各切換部３４は、切換制御部３７から送出された切換制御信号に基づいて、許容状態から遮断状態へ、あるいは遮断状態から許容状態へ切り換わるように構成されている。
【００４４】
切換制御部３７は、図示しない記憶装置に格納されている切換制御用プログラムに基づいて、各切換部３４が、所定の順序に従って順次許容状態となるように、切換制御信号を送出する。たとえば、窓部Ｗが図３に示すような配置であれば、左上の窓部Ｗ、上中央の窓部Ｗ、右上の窓部Ｗ、左下の窓部Ｗ、下中央の窓部Ｗ、右下の窓部Ｗに対応する各切換部３４が、この順番で順次許容状態となるように、切換制御信号を送出する。なお、切換制御部３７は、複数の切換部３４が同時に許容状態になることのないように、切換制御信号を送出する。
【００４５】
つまり、切換部３４全体では、すべての切換部３４が遮断状態になっている状態と、いずれか１つの切換部３４だけが許容状態になっている状態のいずれかの状態しか取り得ない。これにより、互いに異なる窓部Ｗから採り込まれた外光が、同時に照度センサ３１へ入力されることを防止している。
【００４６】
切換制御部３７は、後述するＣＰＵ１３から送出される明るさ検出処理開始命令を受け取ると、前記のように、切換制御用プログラムに基づいて、各切換部３４が一通り許容状態となるように、切換制御信号を送出する。
【００４７】
ＣＰＵ１３は、この明るさ検出処理開始命令を、所定の時間間隔ごとに送出するように構成されている。すなわち、明るさ検出処理は、所定の時間間隔ごとに実行される。この所定の時間間隔は、ユーザによって設定可能であり、たとえば１分〜１０分程度の時間間隔に設定される。
【００４８】
明るさ検出部１２は、このような構成によって、所定の時間間隔ごとに実行される各明るさ検出処理において、各窓部Ｗから採り込まれた外光の照度を、窓部Ｗごとに一通り測定し、その一通りの測定結果を、測定信号としてＣＰＵ１３に送出する。
【００４９】
明るさ検出部１２は、本実施形態では、明るさ検出処理が実行されるごとに、６つの窓部Ｗから採り込まれた外光の照度の測定結果を、測定信号としてＣＰＵ１３に送出する。
【００５０】
温度センサ１９は、バックライト２２の温度を測定するために設けられ、たとえば、サーミスタによって実現される。温度センサ１９は、バックライト２２に対して、１または複数設置される。
【００５１】
バックライト２２に対して温度センサ１９が１つ設置される場合には、温度センサ１９によって測定された温度が、バックライト２２全体の温度として適用される。また、複数の温度センサ１９が用いられる場合には、バックライト２２を複数の領域に分割し、分割された領域ごとに温度センサ１９が設置される。これにより、バックライト２２の領域ごとの温度を測定することができる。ＣＰＵ１３は、温度センサ１９による温度測定結果に基づいて、バックライト２２全体、またはバックライト２２の領域ごとの温度を検出する。
【００５２】
図４は、デジタルサイネージ装置１の構成を示すブロック図である。デジタルサイネージ装置１は、図１に示した画像表示部１１、明るさ検出部１２および温度センサ１９のほかに、ＣＰＵ１３と、図示しないＲＯＭ（Read Only Memory）、ＲＡＭ（Random Access Memory）およびメモリ等の記憶装置と、入力端子１４と、アナログデジタル（以下、「ＡＤ」と省略する）変換処理部１５と、映像信号処理部１６と、ドライバ処理部１７とを含んで構成される。
【００５３】
ＣＰＵ１３は、図示しない記憶装置に記憶されるプログラムを実行することによって、映像信号処理部１６、ドライバ処理部１７および画像表示部１１を制御する。ＲＯＭには、上記プログラムが格納され、ＲＡＭには、上記プログラムが展開される。また、記憶装置は、たとえば半導体メモリによって構成され、ＣＰＵ１３が前記プログラムを実行するときに用いる情報が格納される。ＣＰＵ１３、ＲＯＭ、ＲＡＭおよび記憶装置によって、制御部が構成される。
【００５４】
入力端子１４は、外部の情報処理装置から送信されてくる広告用コンテンツの画像情報、または、図示しない記憶装置に予め格納されている広告用コンテンツの画像情報が、アナログ信号として入力される端子である。
【００５５】
ＡＤ変換処理部１５は、入力端子１４に入力されたアナログ信号の画像情報を、アナログ信号からデジタル信号に変換し、変換したデジタル信号の画像情報を、映像信号処理部１６に送る。ここで、入力端子１４から入力される画像情報は、デジタル信号であってもよい。この場合には、ＡＤ変換処理部１５は不要となる。
【００５６】
映像信号処理部１６は、ＣＰＵ１３からの命令によって、ＡＤ変換処理部１５から受け取る画像情報に対して画像処理を行う。具体的には、デジタルサイネージ装置１周辺の人々の関心または注意を、画像表示部１１に表示される広告画像に効果的に集めるために、ＡＤ変換処理部１５から受け取る画像情報の画像の表示形態を調整する。映像信号処理部１６は、画像処理を行った画像情報を、ドライバ処理部１７に送る。本実施形態では、映像信号処理部１６が、表示形態調整部に相当する。
【００５７】
ここで、映像信号処理部１６において行われる表示形態の調整方法について説明する。本実施形態における表示形態の調整方法は、ＡＤ変換処理部１５から受け取った画像情報に基づいて、画像表示部１１に表示されるべき広告用の原画像に、特定の色を付与可能な色表示領域ｖを付加するとともに、ＣＰＵ１３によって選択された色を、この色表示領域ｖに対して付与することにより行われる。ＣＰＵ１３による色の選択については、後述する。
【００５８】
広告用の原画像に対して色表示領域ｖを付加する方法については種々の方法が考えられ、以下ではその例を示す。図５は、映像信号処理部１６において行われる表示形態の調整処理の一実施例を説明するための図であり、図５（ａ）は、ＡＤ変換処理部１５から受け取った画像情報を表示させたときの画像を示し、図５（ｂ）は、映像信号処理部１６において調整処理された後の画像情報を表示させたときの画像を示している。
【００５９】
図５（ａ）に示すように、ＡＤ変換処理部１５から受け取った画像情報をそのまま画面表示した場合、表示領域Ｖ全体に亘って、広告用の原画像Ａが表示される。一方、図５（ｂ）に示すように、本実施例における調整処理が行われた画像情報を画面表示した場合、表示領域Ｖの周縁部に、矩形枠状の色表示領域ｖが付加される。そして、その色表示領域ｖの内側に、色表示領域ｖの分だけ切り取られた原画像Ａが表示される。なお、色表示領域ｖの形状およびサイズは、ユーザによって適宜設定可能であり、たとえば、色表示領域ｖとして、表示領域Ｖの一縁辺に隣接する矩形状の領域を設定することもできる。
【００６０】
また、原画像Ａは、表示領域Ｖから色表示領域ｖを差し引いた範囲内に収まるよう、表示解像度および表示サイズを調整してもよい。あるいは、実質の表示解像度（たとえば、１９２０×１０８０ｄｏｔ）は固定とし、周縁部に数十ｄｏｔ幅の色表示領域ｖのための余剰分を付加して構成しても良い。具体的には、矩形枠状の色表示領域ｖが３０ｄｏｔ幅とすれば、表示領域Ｖは１９８０×１１４０ｄｏｔとなり、原画像Ａのための実質表示解像度は、ＦＨＤ（Full High Definition：１９２０×１０８０ｄｏｔ）を確保することができる。
【００６１】
図６は、映像信号処理部１６において行われる表示形態の調整処理の他の実施例を説明するための図であり、図６（ａ）は、ＡＤ変換処理部１５から受け取った画像情報を表示させたときの画像を示し、図６（ｂ）〜図６（ｅ）は、映像信号処理部１６において調整処理された後の画像情報を表示させたときの画像を示している。
【００６２】
本実施例における調整処理は、図６（ａ）に示すように、ＡＤ変換処理部１５から受け取った画像情報に、テキスト情報（文字情報）が含まれている場合に行われる。具体的には、画像情報とテキスト情報とが判別できる場合に、広告用の原画像Ａにおけるテキスト画像Ｂの近傍に、そのテキスト画像Ｂを強調するような色表示領域ｖを付加するように、調整処理が行われる。
【００６３】
たとえば、図６（ｂ）に示すように、テキスト画像Ｂに対し、下線に相当する色表示領域ｖを付加してもよく、図６（ｃ）に示すように、テキスト画像Ｂに対し、そのテキスト画像Ｂを囲繞する矩形状の枠に相当する色表示領域ｖを付加してもよい。
【００６４】
また、図６（ｄ）に示すように、テキスト画像Ｂに対し、ハイライトに相当する色表示領域ｖを付加してもよく、図６（ｅ）に示すように、テキスト画像Ｂに対し、そのテキスト画像Ｂの陰影に相当する色表示領域ｖを付加してもよい。
【００６５】
ドライバ処理部１７は、映像信号処理部１６から受け取った画像処理後の画像情報を、デジタル信号からアナログ信号に変換し、変換したアナログ信号の画像情報を画像表示部１１に送る。また、ドライバ処理部１７は、画像表示部１１に対する制御、たとえばＬＣＤパネル２１おける赤緑青（Red Green Blue：略称ＲＧＢ）駆動制御、およびバックライト２２のＬＥＤ光源ごとの輝度調整制御などの制御を行う。
【００６６】
明るさ検出部１２は、前記のように、所定の時間間隔ごとに明るさ検出処理を実行し、各窓部Ｗに対応する測定結果を含む測定信号をＣＰＵ１３へ送出する。
【００６７】
ＣＰＵ１３は、明るさ検出部１２から測定信号を受け取ると、窓部Ｗごとの外光の照度に基づいて、外光の平均照度を算出する。
【００６８】
また、ＣＰＵ１３は、映像信号処理部１６に入力される広告用コンテンツの画像情報における色成分（ＲＧＢ）ごとの画素値と、図示しない記憶装置に予め格納されている画像表示部１１における色成分（ＲＧＢ）ごとの画素値と輝度との対応関係を示すデータとに基づいて、画像表示部１１における表示領域（以下、「パネル面」と称する場合がある）Ｖの照度を算出する。以下、パネル面Ｖの照度を算出する方法について説明する。
【００６９】
図７は、画像表示部１１における各色成分の画素値ごとの輝度特性の一例を示すグラフ５１である。グラフ５１は、縦軸が輝度（単位：ｃｄ／ｍ２）であり、横軸は画素値である。グラフ５１は、色成分ごとに、０〜２５５までの各画素値を画像表示部１１に表示させたときの輝度を表したグラフである。
【００７０】
輝度特性５１１は、赤色（Ｒ）の各画素値における輝度を表している。輝度特性５１２は、緑色（Ｇ）の各画素値における輝度を表している。輝度特性５１３は、青色（Ｂ）の各画素値における輝度を表している。
【００７１】
このような輝度特性は、たとえば工場出荷前に、予め専用の測定装置によって測定され、図示しない記憶装置に、画素値・輝度変換テーブルとして記憶させておく。この画素値・輝度変換テーブルは、画像表示部１１に表示される画像の色成分ごとの画素値と輝度との対応関係を示すテーブルであり、したがって、この画素値・輝度変換テーブルを参照することにより、映像信号処理部１６に入力される広告用コンテンツの画像情報における色成分ごとの画素値から、パネル面Ｖの輝度を算出することができる。
【００７２】
ところで、このような輝度特性は、バックライト２２から出射される光の輝度に依存するものであるが、バックライト２２から出射される光の輝度は、バックライト２２の温度によって大きく変化してしまう。これは、バックライト２２に搭載される光源から出射される光の輝度が、光源周辺の温度に依存して変化するためである。たとえば、光源としてＬＥＤ光源が用いられる場合には、バックライト２２の温度が上昇すると、バックライト２２から出射される光の輝度は、低下する方向に変化していく。また、光源として冷陰極管が用いられる場合には、バックライト２２の温度が上昇すると、バックライト２２から出射される光の強度が、上昇する方向に変化していく。
【００７３】
したがって、本実施形態では、バックライト２２の温度ごとに輝度特性が予め測定され、図示しない記憶装置には、温度ごとの画素値・輝度変換テーブルを記憶させておく。このとき、バックライト２２から出射される光の輝度の温度依存性を考慮して、適切に換算するために必要な温度ごとに画素値・輝度変換テーブルを作成しておくことが好ましく、たとえば、−２０（℃）〜８０（℃）の温度範囲で、１０（℃）の温度間隔ごとに作成される。
【００７４】
これにより、映像信号処理部１６に入力される広告用コンテンツの画像情報における色成分ごとの画素値に基づいてパネル面Ｖの輝度を算出する際に、温度センサ１９によって測定されたバックライト２２の温度に基づいて選択された画素値・輝度変換テーブルを参照することができる。これにより、バックライト２２の計時変化に伴う温度変化を考慮することができ、パネル面Ｖの輝度を正確に算出することができる。
【００７５】
なお、パネル面Ｖの輝度を算出する際には、映像信号処理部１６に入力される広告用コンテンツの画像情報における色成分ごとの画素値として、１フレーム分の画像情報における最大の画素値を用いてもよく、また、平均の画素値を用いてもよい。また、１フレーム分の画像を複数の領域に分割し、各領域における最大または平均の画素値を用いることで、領域ごとにパネル面Ｖの輝度を算出するようにしてもよい。
【００７６】
なお、本実施形態では、温度ごとの画素値・輝度変換テーブルを予め記憶装置に記憶させるように構成されているが、他の実施形態として、ある特定の温度で測定したときの画素値・輝度変換テーブルと、バックライト２２から出射される光の輝度の温度依存性に応じた係数、すなわち温度ごとの係数とを予め記憶させるように構成されてもよい。
【００７７】
このようにしてパネル面の輝度が算出されると、以下に示す換算方法を用いて、パネル面輝度（ｃｄ／ｍ２）を、パネル面Ｖの照度（単位：ｌｘ（ルクス））に換算する。
【００７８】
点光源の場合には、１（ｃｄ／ｍ２）＝４π（ｌｘ）という換算式が成立する（ここで、πの単位はｓｒ（ステラジアン））が、面光源の場合には、裏面への照射がない（すなわち、照射角が半球）と仮定されるので、１（ｃｄ／ｍ２）＝２π（ｌｘ）という換算式が成立する。しかし、実際には、輝度の半減角および光源表面からの距離による減衰を考慮する必要がある。そこで、半減角を１８０°とし、光源表面からの距離が１ｍのときの減衰率が９５％であると想定すると、１（ｃｄ／ｍ２）＝２π×ａ×ｂ（ｌｘ）という換算式が得られる。ここで、平均的に６０％の照度が得られると仮定した場合、ａ＝０．６と与えられ、減衰率が９５％であるので、ｂ＝０．０５と与えられる。結果として、１（ｃｄ／ｍ２）＝０．０６π（ｌｘ）という換算式が成立すると考える。
【００７９】
本実施形態では、上記のような換算式を用いることにより、パネル面Ｖの輝度から、パネル面Ｖの照度に換算される。他の実施形態では、上記のような画素値と輝度との対応関係を示すテーブルに代えて、画素値と照度との対応関係を示すテーブルを、予め記憶装置に記憶させてもよい。この場合には、上記のような輝度から照度への換算が不要となる。
【００８０】
ＣＰＵ１３は、上記のようにして、外光の平均照度（ｌｘ）およびパネル面Ｖの照度（ｌｘ）が算出されると、これらの値に基づいて、前述する調整処理に用いる色、すなわち色表示領域ｖに付与する色を選択する。
【００８１】
具体的には、外光の平均照度が予め定める照度未満であり、かつ、パネル面Ｖの平均照度が前記予め定める照度未満であれば、青色系の色が選択される。一方、外光の平均照度が前記予め定める照度以上、または、パネル面Ｖの平均照度が前記予め定める照度以上であれば、赤色系の色が選択される。ここで、前記予め定める照度は、プルキンエ現象による色知覚の変化が生ずる照度に設定され、概ね１０ｌｘ程度の照度に設定されるのが好ましい。
【００８２】
図８は、比視感度特性を示すグラフ５２である。グラフ５２は、縦軸が比視感度であり、横軸は波長（ｎｍ）である。図８では、規格ＣＩＥ１９２４で規定される明所視の視感度特性５２１と、規格ＣＩＥ１９５１で規定される暗所視の視感度特性５２２とを示している。
【００８３】
プルキンエ現象とは、概ね１０ｌｘ程度以下の暗所視において主として働く視細胞である捍体が、明暗によく反応するが長波長成分の光には反応しないため、概ね１０ｌｘ程度以下の暗所視においては、赤いものは暗く見え、青い色が明るく見えるという現象である。これは、図８に示すように、暗所視では比視感度のピーク波長が、明所視における比視感度のピーク波長５５５ｎｍから５０７ｎｍ程度に短波長側に移動することによって生ずる。したがって、前記のように、予め定める照度として、１０ｌｘを設定するのが好ましい。
【００８４】
図９は、第１の実施形態に係るデジタルサイネージ装置１における表示形態の調整処理の手順を示すフローチャートである。デジタルサイネージ装置１は、その電源が投入されると、動作可能状態となる。これにより、画像表示部１１には、映像信号処理部１６において画像処理された画像情報に基づく画像が表示される。
【００８５】
ＣＰＵ１３は、前記のように、デジタルサイネージ装置１が動作可能状態になると、表示形態の調整処理を開始し、ステップｓ１に進む。ステップｓ１では、ＣＰＵ１３は、所定の時間が経過したか否かを判定する。ＣＰＵ１３は、所定の時間が経過したと判定したときに、ステップｓ２に進む。
【００８６】
ステップｓ２では、ＣＰＵ１３は、切換制御部３７に対し、明るさ検出処理開始命令を送出する。これにより、明るさ検出部１２では、各窓部Ｗから採り込まれた外光の照度が、照度センサ３１によって、窓部Ｗごとに一通り測定される。
【００８７】
ステップｓ３では、ＣＰＵ１３は、窓部Ｗごとに測定された外光の照度に基づいて、外光の平均照度を算出する。また、ＣＰＵ１３は、図示しない記憶装置から画素値・輝度変換テーブルを読み出し、この読み出した情報と、映像信号処理部１６に入力された１フレーム分の画像情報の画素値と、温度センサ１９によって測定されたバックライト２２の温度とに基づいて、パネル面Ｖの照度を算出する。
【００８８】
ステップｓ４では、ＣＰＵ１３は、ステップｓ３で算出された外光の平均照度が、予め定める照度以上であるか否かを判定する。本実施形態では、予め定める照度として、１０ｌｘが設定されている。外光の平均照度が１０ｌｘ以上であると判定されるとステップｓ６に進み、外光の平均照度が１０ｌｘ未満であると判定されるとステップｓ５に進む。
【００８９】
ステップｓ５では、ＣＰＵ１３は、ステップｓ３で算出されたパネル面Ｖの平均照度が、予め定める照度以上であるか否かを判定する。本実施形態では、前記のように、予め定める照度として、１０ｌｘが設定されている。パネル面Ｖの平均照度が１０ｌｘ以上であると判定されるとステップｓ６に進み、パネル面Ｖの平均照度が１０ｌｘ未満であると判定されるとステップｓ７に進む。
【００９０】
ステップｓ６では、ＣＰＵ１３は、映像信号処理部１６に対し、図５（ｂ）および図６（ｂ）〜図６（ｅ）に示すような調整処理の実行命令を送出する。このとき、ＣＰＵ１３は、調整処理によって付加される色表示領域ｖに対し、赤色（赤系統の色）を付与させる。これにより、画像表示部１１には、画像表示部１１に表示されるべき広告用の原画像に、赤色の色表示領域ｖが付加された画像が表示される。
【００９１】
ステップｓ７では、ＣＰＵ１３は、映像信号処理部１６に対し、図５（ｂ）および図６（ｂ）〜図６（ｅ）に示すような調整処理の実行命令を送出する。このとき、ＣＰＵ１３は、調整処理によって付加される色表示領域ｖに対し、青色（青系統の色）を付与させる。これにより、画像表示部１１には、画像表示部１１に表示されるべき広告用の原画像に、青色の色表示領域ｖが付加された画像が表示される。
【００９２】
ステップｓ８では、ＣＰＵ１３は、デジタルサイネージ装置１の電源が遮断（ＯＦＦ）されたか否かを判定する。電源が遮断された場合には、ＣＰＵ１３は、表示形態の調整処理を終了する。また、電源が遮断されていない場合、すなわち、ＯＮ状態である場合には、ＣＰＵ１３は、ステップｓ１に戻る。
【００９３】
以上のように、本実施形態によれば、デジタルサイネージ装置１の画像表示部１１には、広告用の原画像に、人の目を誘引するための色表示が行われる色表示領域ｖが付加された画像が表示され、その色表示領域ｖには、プルキンエ現象を考慮して選択された色、すなわち、デジタルサイネージ装置１の周辺環境が暗所である場合には暗所で明るく見える青色が、また周辺環境が暗所でない場合には赤色が表示される。
【００９４】
このように、周辺環境に応じた色が色表示領域ｖに表示されるので、デジタルサイネージ装置１周辺の人々の関心または注意を、画像表示部１１に表示される広告画像に効果的に集めることができる。これにより、広告画像の注目度すなわち、誘引性、誘目性を向上して、広告効果を高めることができる。
【００９５】
また本実施形態によれば、前記のように、外光の照度だけでなく、パネル面Ｖの照度も考慮して、色表示領域ｖに表示させる色を選択するように構成されているので、効果的に人の目を引きつけることができる。また本実施形態によれば、画像表示部１１に表示させるべき広告用の原画像の内容を改変することなく誘引性を高めることができるので、実運用の面でも優れている。
【００９６】
また本実施形態によれば、各窓部Ｗから採り込まれた光の照度が、１台の照度センサ３１によって測定されるように構成されている。これにより、窓部Ｗごとに照度センサ３１を設ける場合と比較して、デジタルサイネージ装置１全体としてのコストを低減することができる。さらには、照度センサ３１間の個体差を考慮する必要がないので、外光およびバックライト２２の照度を精度良く測定することができる。
【００９７】
また、窓部Ｗごとに照度センサ３１を設ける場合には、各センサの個体差、センシングおよびＡ／Ｄ（Analog/Digital）変換などによる動作遅延、ならびに制御遅延が発生するが、１台の照度センサ３１によって測定を行うことで、前記個体差は解消され、動作遅延および制御遅延を抑制することができる。
【００９８】
上記第１の実施形態では、窓部Ｗごとに算出される外光の照度に基づいて、外光の平均照度を算出するように構成されている。
【００９９】
これに対し、他の実施形態として、窓部Ｗごとに算出される外光の照度を、それぞれ個別に考慮して、パネル面Ｖの領域ごとに、色表示領域ｖの色を選択するように構成してもよい。
【０１００】
たとえば、パネル面Ｖのサイズが６０インチを越えるような大型のデジタルサイネージ装置１を想定し、パネル面Ｖにおける左半分の領域周辺の外光の照度が１０ｌｘ未満であり、パネル面Ｖにおける右半分の領域周辺の外光の照度が１０ｌｘ以上であるような場合には、色表示領域ｖにおいて、パネル面Ｖの左半分に対応する領域に対して青色を選択し、パネル面Ｖの右半分に対応する領域に対して赤色を選択してもよい。このように、パネル面Ｖの領域ごとに色表示領域ｖの色を選択することにより、より効果的に人の目を引きつけることができる。この場合、色表示領域ｖに、赤から青のグラデーションを付けてもよい。
【０１０１】
また上記第１の実施形態では、映像信号処理部１６において、画像表示部１１に表示されるべき広告用の原画像に、デジタルサイネージ装置１周辺の人々の目を誘引するための色を付与可能な色表示領域ｖを付加するように構成されている。
【０１０２】
これに対し、他の実施形態として、一の広告用コンテンツの画像から他の広告用コンテンツの画像へ画面転換する際に、その２つの画像間に、外光およびパネル面Ｖの照度に基づいて選択された色を表示した画面を挿入するように構成してもよい。
【０１０３】
図１０は、画面転換時における画面挿入を説明するための図である。図１０では、広告の原画像Ａ１から広告用の原画像Ａ２へ画面転換する際に、各原画像Ａ１，Ａ２間に、挿入用画面Ａ３が挿入された場合の、画面表示の流れを示している。図１０における挿入用画面Ａ３に、外光およびパネル面Ｖの照度に基づいて選択された色の画面を用いることにより、前記第１の実施形態と同様の効果を得ることができる。なお、本実施形態においても、映像信号処理部１６が、表示形態調整部に相当する。
【０１０４】
図１１は、本発明の第２の実施形態に係るデジタルサイネージ装置１Ａの構成を示すブロック図である。図１２は、デジタルサイネージ装置１Ａを構成する画像表示部１１の構成を概略的に示す正面図である。
【０１０５】
デジタルサイネージ装置１Ａは、画像表示部１１と、明るさ検出部１２と、ＣＰＵ１３と、図示しないＲＯＭ、ＲＡＭおよび記憶装置と、入力端子１４と、ＡＤ変換処理部１５と、映像信号処理部１６と、ドライバ処理部１７と、発光部１８と、温度センサ１９とを含んで構成される。
【０１０６】
図１１に示すように、本実施形態に係るデジタルサイネージ装置１Ａは、発光部１８をさらに備えている点において、第１の実施形態に係るデジタルサイネージ装置１と構成が相違し、他の構成については、デジタルサイネージ装置１と同様に構成されている。なお、デジタルサイネージ装置１と同様の構成については、同一の参照符を付し重複する説明を省略する。
【０１０７】
発光部１８は、赤色および青色の光をそれぞれ発光可能な複数の光源を含んで構成され、該光源は、表示領域Ｖの前面側に向かって発光するように、かつ表示領域Ｖの周辺に設置される。発光部１８は、ＣＰＵ１３から出力される制御信号に基づいて、各光源を点灯するように構成されている。
【０１０８】
発光部１８は、たとえば、複数の赤色ＬＥＤおよび青色ＬＥＤを、表示領域Ｖを囲繞するように、適度な間隔で配列することによって構成される。本実施形態では、発光部１８は、赤色ＬＥＤおよび青色ＬＥＤを、それぞれ交互に配列することによって構成される。
【０１０９】
このように本実施形態では、発光部１８における光源を点灯させることにより、所定の色の光を出射するように構成されている。すなわち、第１の実施形態のデジタルサイネージ装置１では、映像信号処理部１６に入力される画像情報に表示形態の調整処理を行うことによって、人の目を誘引するための色表示を行うように構成されていたが、本実施形態のデジタルサイネージ装置１Ａでは、映像信号処理部１６に入力される画像情報に表示形態の調整処理を行うことなく、発光部１８の点灯制御によって、人の目を誘引するための色表示を行うように構成されている。このように、本実施形態のデジタルサイネージ装置１Ａは、デジタルサイネージ装置１とは異なり、色表示を行うためのハードウエア構成を備えている。
【０１１０】
デジタルサイネージ装置１Ａにおける色表示処理では、ＣＰＵ１３によって外光およびパネル面Ｖの照度が算出されると、ＣＰＵ１３は、算出された照度と予め定める照度（１０ｌｘ）とを比較し、外光およびパネル面Ｖの照度が１０ｌｘを下回っている場合には、発光部１８に対し、青色ＬＥＤを発光させる制御信号を送出し、外光またはパネル面Ｖの照度が１０ｌｘ以上である場合には、発光部１８に対し、赤色ＬＥＤを発光させる制御信号を送出する。
【０１１１】
これにより、発光部１８は、プルキンエ現象を考慮して選択された色、すなわち、デジタルサイネージ装置１Ａの周辺環境が暗所である場合には暗所で明るく見える青色、また周辺環境が暗所でない場合には赤色の光を出射する。
【０１１２】
このように、周辺環境に応じた色の光を発光部１８が出射するので、デジタルサイネージ装置１Ａ周辺の人々の関心または注意を、画像表示部１１に表示される広告画像に効果的に集めることができる。これにより、広告画像の注目度すなわち、誘引性、誘目性を向上して、広告効果を高めることができる。
【０１１３】
また、本実施形態のデジタルサイネージ装置１Ａは、画像表示部１１に表示させるべき広告用の原画像の画像情報を画像処理する必要がないので、既存のデジタルサイネージ装置に発光部１８を搭載することにより、容易に実現することができる。
【０１１４】
図１３は、センサ較正部８１をさらに備えたデジタルサイネージ装置１，１Ａを概略的に示す系統図である。図１４は、センサ較正部８１の構成を概略的に示す斜視図である。
【０１１５】
図１３に示すように、デジタルサイネージ装置１，１Ａには、明るさを検出するための照度センサ３１のキャリブレーションを行うためのセンサ較正部８１を、さらに備えるのが好ましい。
【０１１６】
センサ較正部８１は、標準光源８２および標準白色板８３を備え、標準光源８２によって標準白色板８３に光を照射し、標準白色板８３からの反射光が、第１の光ファイバ３３に採り込まれるように構成される。
【０１１７】
このようなセンサ較正部８１を備えることにより、照度センサ３１の白点および黒点の補正を行うことができる。白点の補正は、標準白色板８３で反射された標準光源８２からの光を、照度センサ３１に入力することによって行われる。黒点の補正は、切換部３４によって第１の光ファイバ３３における光の伝送路を遮断することにより、照度センサ３１の暗電流による出力値に基づいて行われる。
【０１１８】
本発明は、コンピュータに実行させるためのプログラムを記録したコンピュータ読み取り可能な記録媒体に、明るさ検出部１２において測定された外光の照度の測定結果と、映像信号処理部１６に入力される広告用コンテンツの画像情報における色成分ごとの画素値の測定結果に基づいて、プルキンエ現象を考慮したデジタルサイネージ装置１，１Ａを制御する方法を記録するものとすることもできる。
【０１１９】
この結果、上記処理を行うプログラムコード（実行形式プログラム、中間コードプログラム、ソースプログラム）を記録した記録媒体を持ち運び自在に提供することができる。
【０１２０】
なお、本実施の形態では、この記録媒体としては、マイクロコンピュータで処理が行われるために図示していないメモリ、たとえばＲＯＭのようなものそのものがプログラムメディアであってもよいし、また、図示していないが外部記憶装置としてプログラム読み取り装置が設けられ、そこに記録媒体を挿入することで読み取り可能なプログラムメディアであってもよい。
【０１２１】
いずれの場合においても、格納されているプログラムはマイクロプロセッサがアクセスして実行させる構成であってもよいし、あるいは、いずれの場合もプログラムコードを読み出し、読み出されたプログラムコードは、マイクロコンピュータの図示されていないプログラム記憶エリアにダウンロードされて、そのプログラムが実行される方式であってもよい。このダウンロード用のプログラムは予め本体装置に格納されているものとする。
【０１２２】
ここで、上記プログラムメディアは、本体と分離可能に構成される記録媒体であり、磁気テープやカセットテープ等のテープ系、フレキシブルディスクやハードディスク等の磁気ディスクやＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムコードを担持する媒体であってもよい。
【０１２３】
また、インターネットを含む通信ネットワークを接続可能なシステム構成とすることにより、通信ネットワークからプログラムコードをダウンロードするように流動的にプログラムコードを担持する媒体であってもよい。なお、このように通信ネットワークからプログラムをダウンロードする場合には、そのダウンロード用のプログラムは予め本体装置に格納しておくか、あるいは別な記録媒体からインストールされるものであってもよい。なお、本発明は、上記プログラムコードが電子的な伝送で具現化された、搬送波に埋め込まれたコンピュータデータ信号の形態でも実現され得る。
【符号の説明】
【０１２４】
１  デジタルサイネージ装置
１１  画像表示部
１２  明るさ検出部
１３  ＣＰＵ
１４  入力端子
１５  ＡＤ変換処理部
１６  映像信号処理部
１７  ドライバ処理部
２１  ＬＣＤパネル
２２  バックライト
３１  照度センサ
３２  光伝送部
３３  第１の光ファイバ
３４  切換部
３５  連結部
３６  第２の光ファイバ
３７  切換制御部
３８  測定用拡散板
Ｖ  表示領域
Ｗ  窓部
【図１】
0005588852.tif 000002
【図２】
0005588852.tif 000003
【図３】
0005588852.tif 000004
【図４】
0005588852.tif 000005
【図７】
0005588852.tif 000006
【図８】
0005588852.tif 000007
【図９】
0005588852.tif 000008
【図１１】
0005588852.tif 000009
【図１２】
0005588852.tif 000010
【図１３】
0005588852.tif 000011
【図１４】
0005588852.tif 000012
【図５】
0005588852.tif 000013
【図６】
0005588852.tif 000014
【図１０】
0005588852.tif 000015